(57)【要約】【課題】内部の配管などを洗浄する頻度を従来よりも少なくすることが可能となる自浄機能を有した液体供給装置を提供する。【解決手段】ループ流式バブル発生ノズル（１０）は、断面円形の有底管状の有底部材（１）と、有底部材（１）の他端側に嵌め込まれた筒状部材（２）とを有している。有底部材（１）及び筒状部材（２）で囲まれた略円柱型の空間が、気液ループ流式撹拌混合室（６）とされている。筒状部材（２）は、その中央に、液体及び気体を流入可能な流入孔（７）と、液体及び気体を噴出可能な第１噴出孔（８ａ）と第２噴出孔（８ｂ）とを有している。流入孔（７）は、第１噴出孔（８ａ）から気液ループ流式撹拌混合室（６）の方向に向かって連続的に拡径されたテーパ状に形成されている。このようなループ流式バブル発生ノズル（１０）によって発生したファインバブルによって、運転中の液体供給装置内部に設けられた冷却用配管内壁の汚れを落とす又は付着しないようにする。
2016178421.tif 000002
【特許請求の範囲】
【請求項１】
内部に液体を貯留可能な貯留室と、  前記貯留室の上流に設けられ、前記貯留室内に圧力をかけることが可能な加圧部と、  前記貯留室の下流に設けられ、内部に、前記貯留室から送流された前記液体を冷却可能な冷却用配管と、前記冷却用配管を冷却する冷却部と、を有した冷却室と、  途中にループ流式バブル発生ノズルが設けられており、前記貯留室と前記冷却用配管とを接続する配管と、  前記冷却室の下流に設けられ、操作により前記冷却室から送流された前記液体の噴出と停止とが自在な噴出部と、を備え、  前記ループ流式バブル発生ノズルが、  液体及び気体をループ状の流れによって撹拌混合して混合流体とする気液ループ流式撹拌混合室と、  前記気液ループ流式撹拌混合室の一端に設けられ、加圧された液体を前記気液ループ流式撹拌混合室に供給する液体供給孔と、  気体の流入量の調整が可能な１つ以上の気体流入孔と、  前記気液ループ流式撹拌混合室の他端側に設けられ、前記気体流入孔から流入した気体を前記液体供給孔の中心軸を中心に周回させながら、周の全部または一部の箇所から前記気液ループ流式撹拌混合室の一端側に向かって前記気液ループ流式撹拌混合室に供給する気体供給室と、  前記液体供給孔の中心軸と一致するように前記気液ループ流式撹拌混合室の他端に設けられ、前記液体供給孔の孔径よりも大きな孔径を有し、前記混合流体を前記気液ループ流式撹拌混合室から噴出させる噴出孔と、  前記噴出孔から前記気液ループ流式撹拌混合室の方向に向かって連続的に拡径するように設けられたテーパ部と、を有していることを特徴とする液体供給装置。
【請求項２】
内部に液体を貯留可能な貯留室と、  前記貯留室の上流に設けられ、前記貯留室内に圧力をかけることが可能な加圧部と、  前記貯留室の下流に設けられ、前記貯留室から送流された前記液体を冷却可能な冷却用配管と、前記配管を冷却する冷却部とを有した冷却室と、  途中にループ流式バブル発生ノズルが設けられており、前記貯留室と前記冷却用配管とを接続する配管と、  前記冷却室の下流に設けられ、操作により前記冷却室から送流された前記液体の噴出と停止とが自在な噴出部と、を備え、  前記ループ流式バブル発生ノズルが、  液体及び気体をループ状の流れによって撹拌混合して混合流体とする気液ループ流式撹拌混合室と、  前記気液ループ流式撹拌混合室の一端に設けられ、加圧された液体を前記気液ループ流式撹拌混合室に供給する液体供給孔と、  気体の流入量の調整が可能な１つ以上の気体流入孔と、  前記気液ループ流式撹拌混合室の他端側に設けられ、前記気体流入孔から流入した気体を前記液体供給孔の中心軸を中心に周回させながら、周の全部または一部の箇所から前記気液ループ流式撹拌混合室の一端側に向かって前記気液ループ流式撹拌混合室に供給する気体供給室と、  前記液体供給孔の中心軸と一致するように前記気液ループ流式撹拌混合室の他端に設けられ、前記液体供給孔の孔径よりも大きな孔径を有し、前記混合流体を前記気液ループ流式撹拌混合室から噴出させる噴出孔と、  前記気体供給室の前記気液ループ流式撹拌混合室側に設けられ、前記気体供給室の周の全部または一部の箇所に形成された凹形状の気体溜まり部と、を有していることを特徴とする液体供給装置。
【請求項３】
前記気液ループ流式撹拌混合室の内壁に、前記気液ループ流式撹拌混合室内の混合流体をさらに撹拌混合する凹形状の重撹拌混合部を設けたことを特徴とする請求項１又は２のいずれか１項に記載の液体供給装置。
【請求項４】
内部に液体を貯留可能な貯留室と、  前記貯留室の上流に設けられ、前記貯留室内に圧力をかけることが可能な加圧部と、  前記貯留室の下流に設けられ、前記貯留室から送流された前記液体を冷却可能な冷却用配管と、前記配管を冷却する冷却部とを有した冷却室と、  途中にループ流式バブル発生ノズルが設けられており、前記貯留室と前記冷却用配管とを接続する配管と、  前記冷却室の下流に設けられ、操作により前記冷却室から送流された前記液体の噴出と停止とが自在な噴出部と、を備え、  前記ループ流式バブル発生ノズルが、  液体及び気体をループ状の流れによって撹拌混合して混合流体とする気液ループ流式撹拌混合室と、  前記気液ループ流式撹拌混合室の一端に設けられ、加圧された液体を前記気液ループ流式撹拌混合室に供給する液体供給孔と、  気体の流入量の調整が可能な１つ以上の気体流入孔と、  前記気液ループ流式撹拌混合室の他端側に設けられ、前記気体流入孔から流入した気体を前記液体供給孔の中心軸を中心に周回させながら、周の全部または一部の箇所から前記気液ループ流式撹拌混合室の一端側に向かって前記気液ループ流式撹拌混合室に供給する気体供給室と、  前記液体供給孔の中心軸と一致するように前記気液ループ流式撹拌混合室の他端に設けられ、前記液体供給孔の孔径よりも大きな孔径を有し、前記混合流体を前記気液ループ流式撹拌混合室から噴出させる噴出孔と、  前記気液ループ流式撹拌混合室の内壁に設けられ、前記気液ループ流式撹拌混合室内の混合流体をさらに撹拌混合する凹形状の撹拌混合部と、を有していることを特徴とする液体供給装置。
【発明の詳細な説明】
【技術分野】
【０００１】  本発明は、ファインバブル（ナノバブル及びマイクロバブル）を含むバブル（気泡）を発生させるループ流式バブル発生ノズルを備えた液体供給装置に関する。
【背景技術】
【０００２】  飲料であるビールを扱うための液体供給装置であるビールサーバは、当然に厳しい衛生管理下に置く必要があるが、使用日数が進むにつれて、ビールの残液が付着し、有機物質による汚れとなって堆積する。したがって、このビールサーバは衛生状態を良好に保つため定期的に洗浄される必要がある。ビールサーバは、通常、飲料であるビールを冷却するために冷却槽内を通る通路内を通す構造となっているとともに、この冷却用の通路は、蛇行状又はコイル状のような構造上複雑な形状となっており、洗浄を困難にしている。【０００３】  また、ビールサーバに限らず、ステンレス材料で製造された容器、部品或いは配管などは、従来、表面に付着した汚れを落とすために、薬剤又は洗剤を投入して長細いブラシを挿入して洗浄し、その後薬剤を除去するため水によるすすぎ行う方法もとられている。また、配管などの長い形状のものは、内部に液が残ることがあったため、空圧を配管の内部に送ることを行っている。【０００４】  上述のようなビールサーバの冷却通路内を洗浄する方法については、これまで、いくつかの技術が公知となっている。例えば、水道水を利用して冷却コイル内に水と共に洗剤を供給するようにしたもの（下記特許文献１）、炭酸ガスの圧力を利用してビールサーバの冷却通路に洗浄液を供給するもの（下記特許文献２）などがある。
【先行技術文献】
【特許文献】
【０００５】
【特許文献１】特開昭６２−１２５２９９号公報
【特許文献２】特開平１１−１７１２９８号公報
【発明の開示】
【発明が解決しようとする課題】
【０００６】  しかしながら、薬剤又は洗剤を使用すると、その後に水によるすすぎの工程が必要となり、入り組んだ複雑な形状の容器又は配管においては、薬剤に浸漬しただけでは容易に汚れを除去できず、洗浄のための時間が長くなるという問題があった。【０００７】  その他、上記方法以外に、超音波を使って汚れを除去する方法が知られている。この方法では配管などの複雑な形状の部品であっても超音波振動によって配管内部に入った薬剤と汚れ部位とが振動によって接触し、汚れを除去することができる。超音波洗浄は水槽内に部品を入れて行うため、複数の部品を同時に洗浄することができるが、洗浄後には、薬剤のすすぎ、残留水の除去などが必要となり、上記と同様に作業時間が長くなるなどの問題がある。【０００８】  そこで、本発明の目的は、内部の配管などを洗浄する頻度を従来よりも極端に少なくすることが可能となり、引いては、長期間メンテナンスすることなく連続運転することが可能となる自浄機能を有した液体供給装置を提供することである。
【課題を解決するための手段】
【０００９】（１）  本発明の液体供給装置は、内部に液体を貯留可能な貯留室と、前記貯留室の上流に設けられ、前記貯留室内に圧力をかけることが可能な加圧部と、前記貯留室の下流に設けられ、内部に、前記貯留室から送流された前記液体に伝熱又は吸熱可能な液体温度制御用配管と、前記液体温度制御用配管を加熱又は冷却する液体温度制御部と、を有した液体温度制御室と、途中にループ流式バブル発生ノズルが設けられており、前記貯留室と前記液体温度制御用配管とを接続する配管と、前記液体温度制御室の下流に設けられ、操作により前記液体温度制御室から送流された前記液体の噴出と停止とが自在な噴出部と、を備え、前記ループ流式バブル発生ノズルが、液体及び気体をループ状の流れによって撹拌混合して混合流体とする気液ループ流式撹拌混合室と、前記気液ループ流式撹拌混合室の一端に設けられ、加圧された液体を前記気液ループ流式撹拌混合室に供給する液体供給孔と、気体の流入量の調整が可能な１つ以上の気体流入孔と、前記気液ループ流式撹拌混合室の他端側に設けられ、前記気体流入孔から流入した気体を前記液体供給孔の中心軸を中心に周回させながら、周の全部または一部の箇所から前記気液ループ流式撹拌混合室の一端側に向かって前記気液ループ流式撹拌混合室に供給する気体供給室と、前記液体供給孔の中心軸と一致するように前記気液ループ流式撹拌混合室の他端に設けられ、前記液体供給孔の孔径よりも大きな孔径を有し、前記混合流体を前記気液ループ流式撹拌混合室から噴出させる噴出孔と、前記噴出孔から前記気液ループ流式撹拌混合室の方向に向かって連続的に拡径するように設けられたテーパ部と、を有していることを特徴とする。ここで、気体流入孔における気体の流入量の調整が可能な手段の例としては、気体流入孔自体に弁を設けたり、又は、気体流入孔に弁部材を接続したりすることが挙げられる。これにより、気体の流入を停止したり、気体の流入量を調整したりすることができる。以下の手段においても同様である。【００１０】  上記ループ流式バブル発生ノズルによって、液体供給孔を介して液体が気液ループ流式撹拌混合室に供給されるとともに、気体供給室を介して気体が気液ループ流式撹拌混合室に供給される。これにより、気液ループ流式撹拌混合室内の混合流体が噴出孔から噴出されると、気液ループ流式撹拌混合室内において、気体を含んだ液体のループ状の流れ（「ループ流れ」又は「ループ流」と表現することがある）が発生される。【００１１】  ここで、ループ流れとは、液体供給孔から噴出孔へ向う液体の流れに沿って流れた後、噴出孔付近で、噴出孔からの外部気体又は／及び外部液体の流入により反転して気液ループ流式撹拌混合室の内壁に沿って流れ、再び、液体供給孔から供給された液体の流れに沿って流れるという一連の流れのことをいう。なお、発生するループ流れの速度は、液体及び気体の供給量及び圧力によって、低速から高速まで、ある程度コントロールすることが可能である。したがって、液体及び気体の供給量および圧力を調整し、さらにループ流れの速度を増加させることで、高速ループ流れを形成することも可能である。【００１２】  気液ループ流式撹拌混合室内の混合流体が噴出孔から噴出���れると、気液ループ流式撹拌混合室内が負圧となるので、気体流入孔から気体供給室を介して気体が流入してくるとともに、噴出孔の孔径が液体供給孔の孔径よりも大きく形成されていることから、噴出孔において、噴出孔の内壁と混合流体の周囲との間から、外部気体又は／及び外部液体が気液ループ流式撹拌混合室に流入してくる（外部環境によって、外部気体又は／及び外部液体が流入してくる。）。なお、気体流入孔において弁などを用いて気体の流入量を０にした（気体流入を停止した）場合、当然、気体を自吸することはないが、この場合でも、ノズル内部でキャビテーションが起こりファインバブルは発生する。【００１３】  ここで、（ａ）気体供給室から気液ループ流式撹拌混合室に供給された気体は、気体供給室と気液ループ流式撹拌混合室との境界で発生した乱流により細分化され、（ｂ）ループ流れにおいて撹拌、剪断されながら、（ｃ）一部が液体供給孔から供給された液体と衝突した際の乱流の発生によりさらに細分化され、噴出孔から噴出される。（ｄ）なお、噴出孔から気液ループ流式撹拌混合室内に流入してくる外部気体又は外部液体によって、ループ流れ中の気体は、さらに細分化されることになる。これらの（ａ）〜（ｄ）の工程で微細化される気泡発生のメカニズムが、ループ流式バブル発生ノズルの特徴であり、他のノズルにない優れた点である。【００１４】  更に、（ｅ）気体流入孔から流入してきた気体は、気体供給室において液体供給孔の中心軸を中心に周回されながら、周の全部または一部の箇所から気液ループ流式撹拌混合室の一端側に向かって気液ループ流式撹拌混合室内に供給される。この（ｅ）の工程によって、気液ループ流式撹拌混合室内の真空度が向上されるため、気体流入孔から流入してくる気体の量を更に増加させることができて、気泡の発生が促進される。【００１５】  したがって、従来品よりも簡易な構成でありながら、平均直径が１００μｍ未満のバブル、特に、平均直径が２０μｍ前後のマイクロバブル及びナノバブルを含むファインバブルを発生させることができる。なお、気体流入孔において弁などを用いて気体の流入量を０にした（気体流入を停止した）場合、当然、気体を自吸することはないが、この場合でも、ノズル内部でキャビテーションが起こりファインバブルは発生する。【００１６】  すなわち、上記ファインバブルによってループ流式バブル発生ノズルの下流にある配管などを常時洗浄することになるので、汚れが配管内壁に付着することを抑制できる。したがって、上記（１）の構成の液体供給装置によれば、ループ流式バブル発生ノズルの下流にある配管などを洗浄する頻度を従来よりも少なくすることができる。引いては、長期間メンテナンスすることなく連続運転することが可能となる自浄機能を有した液体供給装置を提供できる。【００１７】（２）  別の観点として、本発明の液体供給装置は、内部に液体を貯留可能な貯留室と、前記貯留室の上流に設けられ、前記貯留室内に圧力をかけることが可能な加圧部と、前記貯留室の下流に設けられ、内部に、前記貯留室から送流された前記液体に伝熱又は吸熱可能な液体温度制御用配管と、前記液体温度制御用配管を加熱又は冷却する液体温度制御部と、を有した液体��度制御室と、途中にループ流式バブル発生ノズルが設けられており、前記貯留室と前記液体温度制御用配管とを接続する配管と、前記液体温度制御室の下流に設けられ、操作により前記液体温度制御室から送流された前記液体の噴出と停止とが自在な噴出部と、を備え、前記ループ流式バブル発生ノズルが、液体及び気体をループ状の流れによって撹拌混合して混合流体とする気液ループ流式撹拌混合室と、前記気液ループ流式撹拌混合室の一端に設けられ、加圧された液体を前記気液ループ流式撹拌混合室に供給する液体供給孔と、気体の流入量の調整が可能な１つ以上の気体流入孔と、前記気液ループ流式撹拌混合室の他端側に設けられ、前記気体流入孔から流入した気体を前記液体供給孔の中心軸を中心に周回させながら、周の全部または一部の箇所から前記気液ループ流式撹拌混合室の一端側に向かって前記気液ループ流式撹拌混合室に供給する気体供給室と、前記液体供給孔の中心軸と一致するように前記気液ループ流式撹拌混合室の他端に設けられ、前記液体供給孔の孔径よりも大きな孔径を有し、前記混合流体を前記気液ループ流式撹拌混合室から噴出させる噴出孔と、前記気体供給室の前記気液ループ流式撹拌混合室側に設けられ、前記気体供給室の周の全部または一部の箇所に形成された凹形状の気体溜まり部と、を有していることが好ましい。【００１８】  上記（２）の構成によれば、上記（１）のループ流式バブル発生ノズルと同様、従来品よりも簡易な構成でありながら、平均直径が１００μｍ未満のバブル、特に、平均直径が２０μｍ前後のマイクロバブル及びナノバブルを含むファインバブルを発生させることができる。【００１９】  また、気体溜まり部によって、気体流入孔から流入してくる気体の量を更に増加させることができ、気泡の発生が促進される。また、（ａ）気体供給室と気液ループ流式撹拌混合室との境界である気液境界部において発生するキャビテーションによるスプラッシュ現象により、気体供給室内に入り込んだ飛沫液体、又は／及び、（ｂ）気液境界部近傍のファインバブル、が気液境界部近傍で乾燥、濃縮、又は凝集し、気体供給室の壁部（例えば、気体供給室において気液ループ流式撹拌混合室から数ｍｍ程度の位置）にカルシウムなどのスケール又は／及びスラッジが析出しリング状に固着しても、気体溜まり部により十分な空間が確保されているので、気体供給室が閉塞されてしまうことがない。その結果として、上記（２）のループ流式バブル発生ノズルにおいては、不純物を含む液体を用いてもバブル発生効率が低下しない。これにより、気体流入孔から流入した気体は、気液ループ流式撹拌混合室に安定して供給されるので、気液ループ流式撹拌混合室内の高速ループ流れを安定させることができる。【００２０】  すなわち、上記ファインバブルによってループ流式バブル発生ノズルの下流にある配管などを常時洗浄することになるので、汚れが配管内壁に付着することを抑制できる。したがって、上記（２）の構成の液体供給装置によれば、ループ流式バブル発生ノズルの下流にある配管などを洗浄する頻度を従来よりも少なくすることができる。引いては、長期間メンテナンスすることなく連続運転することが可能となる自浄機能を有した液体供給装置���提供できる。【００２１】（３）  上記（１）又は（２）の液体供給装置においては、前記気液ループ流式撹拌混合室の内壁に、前記気液ループ流式撹拌混合室内の混合流体をさらに撹拌混合する凹形状の重撹拌混合部を設けたものであってもよい。【００２２】  上記（３）の構成によれば、さらにループ流を形成することができるので、気液ループ流式撹拌混合室内の混合流体をさらに撹拌混合することが可能となる。これにより、さらに効率よくファインバブルを発生させることができる。【００２３】（４）  他の観点として、本発明の液体供給装置は、内部に液体を貯留可能な貯留室と、前記貯留室の上流に設けられ、前記貯留室内に圧力をかけることが可能な加圧部と、前記貯留室の下流に設けられ、内部に、前記貯留室から送流された前記液体に伝熱又は吸熱可能な液体温度制御用配管と、前記液体温度制御用配管を加熱又は冷却する液体温度制御部と、を有した液体温度制御室と、途中にループ流式バブル発生ノズルが設けられており、前記貯留室と前記液体温度制御用配管とを接続する配管と、前記液体温度制御室の下流に設けられ、操作により前記液体温度制御室から送流された前記液体の噴出と停止とが自在な噴出部と、を備え、前記ループ流式バブル発生ノズルが、液体及び気体をループ状の流れによって撹拌混合して混合流体とする気液ループ流式撹拌混合室と、前記気液ループ流式撹拌混合室の一端に設けられ、加圧された液体を前記気液ループ流式撹拌混合室に供給する液体供給孔と、気体の流入量の調整が可能な１つ以上の気体流入孔と、前記気液ループ流式撹拌混合室の他端側に設けられ、前記気体流入孔から流入した気体を前記液体供給孔の中心軸を中心に周回させながら、周の全部または一部の箇所から前記気液ループ流式撹拌混合室の一端側に向かって前記気液ループ流式撹拌混合室に供給する気体供給室と、前記液体供給孔の中心軸と一致するように前記気液ループ流式撹拌混合室の他端に設けられ、前記液体供給孔の孔径よりも大きな孔径を有し、前記混合流体を前記気液ループ流式撹拌混合室から噴出させる噴出孔と、前記気液ループ流式撹拌混合室の内壁に設けられ、前記気液ループ流式撹拌混合室内の混合流体をさらに撹拌混合する凹形状の撹拌混合部と、を有していることが好ましい。【００２４】  上記（４）の構成によれば、上記（１）のループ流式バブル発生ノズルと同様、従来品よりも簡易な構成でありながら、平均直径が１００μｍ未満のバブル、特に、平均直径が２０μｍ前後のマイクロバブル及びナノバブルを含むファインバブルを効率よく発生させることができる。【００２５】  すなわち、上記ファインバブルによってループ流式バブル発生ノズルの下流にある配管などを常時洗浄することになるので、汚れが配管内壁に付着することを抑制できる。したがって、上記（４）の構成の液体供給装置によれば、ループ流式バブル発生ノズルの下流にある配管などを洗浄する頻度を従来よりも少なくすることができる。引いては、長期間メンテナンスすることなく連続運転することが可能となる自浄機能を有した液体供給装置を提供できる。
【図面の簡単な説明】
【００２６】
【図１】本発明の第１の実施の形態に係る液体供給装置を示した概略構成図である。
【図２】（ａ）が図１の液体供給装置におけるバブル発生ノズルを示す概略断面図、（ｂ）が（ａ）のＩ−Ｉ矢視断面図、（ｃ）が（ａ）のＩＩ−ＩＩ矢視断面図、（ｄ）が（ａ）のＩＩＩ−ＩＩＩ矢視断面図である。
【図３】図２のループ流式バブル発生ノズルの動作説明図である。
【図４】（ａ）が第１の実施の形態の液体供給装置におけるループ流式バブル発生ノズルの変形例を示す概略断面図、（ｂ）が（ａ）のＩ−Ｉ矢視断面図、（ｃ）が（ａ）のＩＩ−ＩＩ矢視断面図である。
【図５】（ａ）が第２の実施の形態に係る液体供給装置におけるバブル発生ノズルを示す概略断面図、（ｂ）が（ａ）のＩ−Ｉ矢視断面図、（ｃ）が（ａ）のＩＩ−ＩＩ矢視断面図である。
【図６】本発明の実施例１に係る液体供給装置を示す写真である。
【図７】比較例の観察で得られた配管内の汚れを含んだ水道水の拡大写真である。
【図８】比較例の液体供給装置を用いて吐出した液体をジョッキに注いだ際の写真である。
【図９】実施例１の観察で得られた配管内の汚れを含んだ水道水の拡大写真である。
【図１０】実施例１の液体供給装置を用いて吐出した液体をジョッキに注いだ際の写真である。
【図１１】実施例２の観察で得られた配管内の汚れを含んだ水道水の拡大写真である。
【図１２】実施例２の液体供給装置を用いて吐出した液体をジョッキに注いだ際の写真である。
【図１３】実施例３の観察で得られた配管内の汚れを含んだ水道水の拡大写真である。
【図１４】実施例３の液体供給装置を用いて吐出した液体をジョッキに注いだ際の写真である。
【発明を実施するための形態】
【００２７】［第１の実施の形態］  本発明の第１の実施の形態を図１〜図３に基づいて以下に説明する。図１は、本発明の第１の実施の形態に係る液体供給装置を示した概略構成図である。図２（ａ）は、図１の液体供給装置におけるループ流式バブル発生ノズル１０を示す概略断面図、図２（ｂ）は、図２（ａ）のＩ−Ｉ矢視断面図、図２（ｃ）は、図２（ａ）のＩＩ−ＩＩ矢視断面図、図２（ｄ）は、図２（ａ）のＩＩＩ−ＩＩＩ矢視断面図である。図３は、ループ流式バブル発生ノズル１０の動作説明図である。
【００２８】（液体供給装置１００の全体構成）  液体供給装置１００は、ガスボンベ６０（加圧部）と、加圧用配管６１と、飲料容器６２（貯留室）と、液体送流用配管６３と、冷却室６４と、を主に備えている。
【００２９】  ガスボンベ６０は、内部に加圧状態でガス（気体）を封入することが可能なものである。また、図示しないが、バルブの操作を行うことにより内部のガスを、加圧用配管６１を介して飲料容器６２内のガス溜まりに放出することができるようになっている。なお、ガスボンベ６０内におけるガスは、空気の他、人体に無害なものであれば、どのようなものでもよく、例えば、炭酸ガス、窒素ガス等が用いられる。
【００３０】  飲料容器６２は、ビールなどのアルコール飲料、ジュースなどの炭酸飲料若しくは清涼飲料、又は、水、などの飲料用の液体７０を密閉貯留しておくことが可能な容器である。また、飲料容器６２は、上部から挿入された加圧用配管６１及び液体送流用配管６３が設けられている。なお、液体送流用配管６３の途中には、後述するループ流式バブル発生ノズル１０が設けられている。加圧用配管６１の下流側先端部は、液体７０の液面に接触しないように配設され、液体送流用配管６３の上流側先端部は、液体７０の液体中に挿入されている。
【００３１】  冷却室６４内には、冷却部６５（液体温度制御）と、液体温度制御用配管６６と、が設けられている。冷却部６５は、液体温度制御用配管６６を冷却することができる機能を有した装置であって、冷媒を用いるいわゆるガス圧縮式冷却器、ガス吸収式冷却器、又は、ペルチェ効果などを利用する電子式冷却器など、いずれを用いてもよい。ここで、一変形例として、冷却部６５の代わりに、氷を冷却室６４内に投入して、液体温度制御用配管６６を冷却してもよい。
【００３２】  液体温度制御用配管６６は、冷却室６４内において上流側から下流側にかけて蛇行するように設けられている。また、液体温度制御用配管６６の上流側端部は、液体送流用配管６３の下流側端部と接続されており、液体送流用配管６３から送られてきた液体は、液体温度制御用配管６６内部に送られるようになっている。また、液体温度制御用配管６６の下流側端部は、噴出部６７に接続されており、レバー６７ａの操作により噴出量を調整しながら、注ぎ口６７ｂから飲料を注ぎ出すことができる。ここで、図示しないが、一変形例として、冷却室６４内において、液体温度制御用配管６６を螺旋状のものにしてもよい。このとき、螺旋状の液体温度制御用配管６６に周囲を囲まれるように冷却部６５を配設すると、冷却室６４を小型化できる。
【００３３】（ループ流式バブル発生ノズル１０の構成）  図２（ａ）に示すように、ループ流式バブル発生ノズル１０は、断面円形の有底管状の第１の部材としての有底部材１と、有底部材１の他端側に嵌め込まれた第２の部材としての筒状部材２とを有している。そして、有底部材１及び筒状部材２で囲まれた略円柱型の空間が、気液ループ流式撹拌混合室６とされている。
【００３４】  有底部材１は、その側部に、ループ流式バブル発生ノズル１０の外部と内部とが連通されて、気体が流入される気体流入孔３を有している。なお、気体流入孔３は２つ以上あってもよい。また、有底部材１は、その底部中央に、外部から加圧された液体（圧力が少しでも加えられている状態の液体。以下では、「加圧液体」とすることがある。）が供給される第１液体供給孔５ａと第２液体供給孔５ｂとを有している。外部から供給された加圧液体は、第１液体供給孔５ａ、第２液体供給孔５ｂを順に通って気液ループ流式撹拌混合室６に供給される。第１液体供給孔５ａ及び第２液体供給孔５ｂの各中心軸は、気体流入孔３の中心軸と交差されている。
【００３５】  第２液体供給孔５ｂは、第１液体供給孔５ａから気液ループ流式撹拌混合室６の方向に向かって連続的に拡径されたテーパ状に形成されている。この第２液体供給孔５ｂは、気液ループ流式撹拌混合室６内において、高速ループ流れを加圧液体の流れとは逆の方向から加圧液体の流れに合流させて、乱流を激しく起こさせる役割を果たしている。
【００３６】  筒状部材２は、その中央に、液体及び気体を流入可能な流入孔７と、液体及び気体を噴出可能な第１噴出孔８ａと第２噴出孔８ｂとを有している。流入孔７、第１噴出孔８ａ及び第２噴出孔８ｂの各中心軸は、第１液体供給孔５ａ及び第２液体供給孔５ｂの各中心軸と一致されている。
【００３７】  流入孔７は、第１噴出孔８ａから気液ループ流式撹拌混合室６の方向に向かって連続的に拡径されたテーパ状に形成されている。この流入孔７は、気液ループ流式撹拌混合室６内における高速ループ流れを加速させる役割を果たしている。第１噴出孔８ａは、一端が流入孔７の一端に接続されると共に、他端が第２噴出孔８ｂの一端に接続されるように形成されている。第２噴出孔８ｂは、第１噴出孔８ａから気液ループ流式撹拌混合室６の方向とは逆の方向に向かって連続的に拡径されたテーパ状に形成されている。この第２噴出孔８ｂは、第１噴出孔８ａから気液ループ流式撹拌混合室６内に流入してくる外部気体及び／又は外部液体の量を調節すると共に、第１噴出孔８ａの外部側周辺の流れ（第１噴出孔８ａからの混合流体の噴出、並びに、外部気体又は／及び外部液体の流入）を安定させる役割を果たしている。
【００３８】  また、筒状部材２は、気体流入孔３に対向する外周位置に、周方向に連続した溝部４ｂを有している。そして、溝部４ｂと有底部材１の内壁面とで囲まれたリング状の空間が、気体供給室４とされている。気体供給室４は、隙間４ａによって気液ループ流式撹拌混合室６に連通されている。
【００３９】  図２（ｄ）に示すように、気体流入孔３と気体供給室４とは隙間４ａによって連通されている。気体流入孔３から流入した気体は、気体供給室４において、第１液体供給孔５ａの中心軸を中心に周回されながら、周の全部または一部の箇所から隙間４ａを通過して、気液ループ流式撹拌混合室６の一端側に向かって気液ループ流式撹拌混合室６に供給されることとなる。これにより、気液ループ流式撹拌混合室６の内壁に、気体の膜、気泡、又は／及び、マイクロバブルが発生されると共に、高速ループ流れが加速される。気体流入孔３から流入する気体は、空気の他、人体に無害なものであれば、どのようなものでもよく、例えば、炭酸ガス、窒素ガス等を用いてもよい。
【００４０】  なお、有底部材１及び筒状部材２には、ＳＵＳ３０４、ＳＵＳ３１６などの金属、樹脂、木、ガラス、セラミック、陶磁器などを用いることができるが、固体材料であればどのようなものを用いてもよい。また、部品毎に、適材適所の素材を選択してもよい。なお、樹脂、ガラス、セラミックスなどを選択すれば、腐食に強いので、バブル発生ノズル１０を長寿命化することができる。
【００４１】  気液ループ流式撹拌混合室６は、第２液体供給孔５ｂから供給された液体と、気体供給室４から供給された気体とを、ループ状の流れによって撹拌混合する空間である。気液ループ流式撹拌混合室６の一端には第２液体供給孔５ｂが設けられており、気液ループ流式撹拌混合室６の他端には流入孔７が設けられている。また、気液ループ流式撹拌混合室６の他端側には、気体供給室４と気体流入孔３とが設けられている。なお、気液ループ流式撹拌混合室６の内壁には、凹凸形状（例えば、いわゆる鮫肌、セラミックの溶射肌と同様のもの、又は／及び、単なる突起形状など）が形成されているが、内壁全体に施されている必要はなく、一部に形成されているだけでもよい。この内壁の凹凸形状は、高速ループ流れを加速させ、気液ループ流式撹拌混合室６内の真空度を高くする役割を果たしている。
【００４２】（ループ流式バブル発生ノズル１０の動作）  次に、図３を用いて、ループ流式バブル発生ノズル１０の動作について説明する。図３は、図２のループ流式バブル発生ノズル１０と、ループ流式バブル発生ノズル１０の有底部材１の一端側に接続されたホース１１と、ループ流式バブル発生ノズル１０の筒状部材２の他端側に接続されたシャワーヘッド１２と、ループ流式バブル発生ノズル１０の有底部材１の気体流入孔３に接続された気体用供給管１３と、気体用供給管１３への外部気体の流入量を調整する絞り弁１４とを示した図である。なお、簡便のため、ループ流式バブル発生ノズル１０のみ概略断面図で示している。また、気体用供給管１３の一端は外気を取り込めるようになっており、気体用供給管１３の内部には、バブルを安定して発生させることができるように、逆止弁１３ａが設けられている。
【００４３】  まず、ホース１１から第１液体供給孔５ａ、第２液体供給孔５ｂを介して、加圧液体を気液ループ流式撹拌混合室６に供給する。このとき、加圧液体は、図３の第１液体供給孔５ａ、第２液体供給孔５ｂと、流入孔７及び第１噴出孔８ａとを結ぶ線上に沿って流れた後、その大半が第１噴出孔８ａから拡がりながら噴出すると共に、第２噴出孔８ｂから第１噴出孔８ａを介して外部気体及び／又は外部液体の流入によって、その一部が高速ループ流れ（図３の気液ループ流式撹拌混合室６内の略楕円状部分）を形成する。このとき、加圧液体の一部によって、高速ループ流れの速度が更に増加される。
【００４４】  また、気液ループ流式撹拌混合室６内は負圧となっているので、気体用供給管１３から気体供給室４を介して、気液ループ流式撹拌混合室６内に気体が流入してくる。
【００４５】  ここで、気体供給室４から気液ループ流式撹拌混合室６内に供給された気体は、（ａ）気体供給室４と気液ループ流式撹拌混合室６との境界で発生した乱流により細分化され、（ｂ）流入孔７及び第２液体供給孔５ｂによって加速された高速ループ流れにおいて撹拌、剪断され、（ｃ）気液ループ流式撹拌混合室６の内壁の凹凸形状と衝突し、（ｄ）途中で一部が第１液体供給孔５ａから供給された加圧液体と衝突した際に発生した乱流により更に細分化され、（ｅ）第１噴出孔８ａにおいて、流入してきた外部気体及び／又は外部液体と衝突して、更に微細化され、バブル又は／及びマイクロバブルなどのファインバブルを含む混合流体として第２噴出孔８ｂから噴出される。
【００４６】  更に、（ｆ）気体流入孔３から流入してきた気体は、気体供給室４において第１液体供給孔５ａの中心軸を中心に周回されながら、周の全部または一部の箇所から気液ループ流式撹拌混合室６の一端側に向かって気液ループ流式撹拌混合室６内に供給される。これにより、気液ループ流式撹拌混合室６内の真空度が向上されるため、気体流入孔３から流入してくる気体の量を更に増加させることができて、気泡の発生が促進される。
【００４７】  これらのような一連の動作によって、バブル又は／及びマイクロバブルなどのファインバブルが、次から次へと連続的に発生する。
【００４８】  また、テーパ状に形成された流入孔７によって、高速ループ流れが加速されると共に、第２液体供給孔５ｂによって激しい乱流が起こされるため、気液ループ流式撹拌混合室６内の気体を更に細分化することができる。
【００４９】  また、テーパ状に形成された第２噴出孔８ｂによって、第１噴出孔８ａから気液ループ流式撹拌混合室６内に流入してくる外部気体及び／又は外部液体の量が調節されていると共に、第１噴出孔８ａの外部側周辺の流れ（第１噴出孔８ａからの混合流体の噴出、並びに、外部気体又は／及び外部液体の流入）が安定されている。
【００５０】  また、気液ループ流式撹拌混合室６が略円柱型の空間であるので、高速ループ流れを容易に形成することができ、上述の動作を容易に得ることができる。そして、気液ループ流式撹拌混合室６の内壁には、凹凸形状が形成されているので、高速ループ流れをしている液体と気体との混合流体が凹凸形状に衝突することによって、気液ループ流式撹拌混合室６内の気体を更に細分化することができると共に、高速ループ流れを加速させ、気液ループ流式撹拌混合室６内の真空度を高くすることができる。
【００５１】  上記の構成のループ流式バブル発生ノズル１０によれば、上述したような動作が行われるので、従来と同等以下（２０μｍ前後）の径のマイクロバブルなどのファインバブルを発生させることができる。
【００５２】  なお、上述したループ流式バブル発生ノズル１０の動作では、加圧液体を第１液体供給孔５ａ、第２液体供給孔５ｂを順に通って気液ループ流式撹拌混合室６に供給した場合について説明したが、これに限られず、不純物を含んだ汚泥水若しくは海水、又は水道水を供給しても、マイクロバブルなどのファインバブルを発生させることができる。
【００５３】［第１の実施の形態の液体供給装置１００の変形例］  次に、本発明の第１の実施の形態の液体供給装置１００におけるループ流式バブル発生ノズルの変形例について説明する。図４は、第１の実施の形態の液体供給装置１００におけるループ流式バブル発生ノズル１０の変形例に係るループ流式バブル発生ノズル２０を示す概略断面図である。
【００５４】（ループ流式バブル発生ノズル２０の構成）  図４（ａ）に示すように、ループ流式バブル発生ノズル２０は、断面円形の有底管状の第１の部材としての有底部材２１と、有底部材２１の他端側に嵌め込まれた第２の部材としての筒状部材２２とを有している。そして、有底部材２１及び筒状部材２２で囲まれた略円柱型の空間が、気液ループ流式撹拌混合室２６とされている。
【００５５】  筒状部材２２は、気体流入孔２３に対向する外周位置に、周方向に連続した溝部２４ｂを有している。そして、溝部２４ｂと筒状部材２２の内面とで囲まれたリング状の空間が、気体供給室２４とされている。気体供給室２４は、隙間２４ａによって気液ループ流式撹拌混合室２６に連通されている。また、隙間２４ａの気液ループ流式撹拌混合室２６側には、凹形状の気体溜まり部２４ｃが隙間２４ａの周の全部に沿って設けられている。
【００５６】  図４（ａ）に示すように、気体流入孔２３と気体供給室２４とは隙間２４ａによって連通されている。気体流入孔２３から流入した気体は、気体供給室２４において、第１液体供給孔２５ａの中心軸を中心に周回されながら、周の全部または一部の箇所から隙間２４ａを通過して、気液ループ流式撹拌混合室２６の一端側に向かって気液ループ流式撹拌混合室２６に供給されることとなる。これにより、気液ループ流式撹拌混合室２６の内壁に、気体の膜、気泡、又は／及び、マイクロバブルが発生されると共に、高速ループ流れが加速される。また、気体供給室２４の近傍の気体溜まり部２４ｃによって、気体流入孔２３から流入してくる気体の量を更に増加させることができ、気泡の発生が促進される。また、（ａ）気体供給室２４と気液ループ流式撹拌混合室２６との境界である気液境界部において発生するキャビテーションによるスプラッシュ現象により、隙間２４ａ内に入り込んだ飛沫液体、又は／及び、（ｂ）気液境界部近傍のファインバブル、が気液境界部近傍で乾燥、濃縮、又は凝集し、隙間２４ａ内の筒状部材２２の外表面又は／及び有底部材２１の内表面にカルシウムなどのスケール又は／及びスラッジが析出しリング状に固着しても、気体溜まり部２４ｃにより十分な空間が確保されているので、隙間２４ａ（気体供給室２４）が閉塞されてしまうことがない。その結果として、本変形例に係るループ流式バブル発生ノズル２０においては、不純物を含む液体を用いてもバブル発生効率が低下しない。これにより、気体流入孔２３から流入した気体は、気液ループ流式撹拌混合室２６に安定して供給されるので、気液ループ流式撹拌混合室２６内の高速ループ流れを安定させることができる。
【００５７】  その他の構成及び動作は、第１の実施の形態と同じであるため、その説明を省略する。
【００５８】（本実施の形態の概要）  以上のように、本実施の形態のループ流式バブル発生ノズル１０，２０は、液体及び気体をループ状の流れによって撹拌混合して混合流体とする気液ループ流式撹拌混合室６、２６と、気液ループ流式撹拌混合室６、２６の一端に設けられ、加圧された液体を気液ループ流式撹拌混合室６、２６に供給する第１液体供給孔５ａ、２５ａ及び第２液体供給孔５ｂ、２５ｂと、気体が流入する１つ以上の気体流入孔３，２３と、気液ループ流式撹拌混合室６、２６の他端側に設けられ、気体流入孔３，２３から流入した気体を第１液体供給孔５ａ、２５ａの中心軸を中心に周回させながら、周の全部または一部の箇所から気液ループ流式撹拌混合室６、２６の一端側に向かって気液ループ流式撹拌混合室６、２６に供給する気体供給室４、２４と、第１液体供給孔５ａ、２５ａの中心軸と一致するように気液ループ流式撹拌混合室６、２６の他端に設けられ、流入孔７、２７と、混合流体を気液ループ流式撹拌混合室６、２６から噴出させる第１噴出孔８ａ、２８ａ及び第２噴出孔８ｂ、２８ｂとを有する構成にされている。
【００５９】  上記の構成によれば、第１液体供給孔５ａ、２５ａ及び第２液体供給孔５ｂ、２５ｂを介して液体が気液ループ流式撹拌混合室６、２６に供給されると共に、気体供給室４、２４を介して気体が気液ループ流式撹拌混合室６、２６に供給される。これにより、気液ループ流式撹拌混合室６、２６内の混合流体が第２噴出孔８ｂ、２８ｂから噴出されると、気液ループ流式撹拌混合室６、２６内において、気体を含んだ液体のループ状の流れ（「ループ流れ」又は「ループ流」と表現することがある）が発生される。
【００６０】  気液ループ流式撹拌混合室６、２６内の混合流体が第２噴出孔８ｂ、２８ｂから噴出されると、気液ループ流式撹拌混合室６、２６内が負圧となるので、気体流入孔３，２３から気体供給室４、２４を介して気体が流入してくると共に、第１噴出孔８ａ、２８ａの孔径が第１液体供給孔５ａ、２５ａの孔径よりも大きく形成されていることから、第１噴出孔８ａ、２８ａにおいて、第１噴出孔８ａ、２８ａの内壁と混合流体の周囲との間から、外部気体又は／及び外部液体が気液ループ流式撹拌混合室６、２６に流入してくる。
【００６１】  ここで、気体供給室４、２４から気液ループ流式撹拌混合室６、２６内に供給された気体は、（ａ）気体供給室４、２４と気液ループ流式撹拌混合室６、２６との境界で発生した乱流により細分化され、（ｂ）流入孔７、２７及び第２液体供給孔５ｂ、２５ｂによって加速された高速ループ流れにおいて撹拌、剪断され、（ｃ）気液ループ流式撹拌混合室６、２６の内壁の凹凸形状と衝突し、（ｄ）途中で一部が第１液体供給孔５ａ、２５ａから供給された加圧液体と衝突した際に発生した乱流により更に細分化され、（ｅ）第１噴出孔８ａ、２８ａにおいて、流入してきた外部気体及び／又は外部液体と衝突して、更に微細化され、バブル又は／及びマイクロバブルを含む混合流体として第２噴出孔８ｂ、２８ｂから噴出される。これらの（ａ）〜（ｅ）の工程で微細化される気泡発生のメカニズムが、ループ流式バブル発生ノズル１０、２０の特徴であり、他のノズルにない優れた点である。
【００６２】  更に、（ｆ）気体流入孔３、２３から流入してきた気体は、気体供給室４、２４において第１液体供給孔５ａ、２５ａの中心軸を中心に周回されながら、周の全部または一部の箇所から気液ループ流式撹拌混合室６、２６の一端側に向かって気液ループ流式撹拌混合室６、２６内に供給される。この（ｆ）の工程によって、気液ループ流式撹拌混合室６、２６内の真空度が向上されるため、気体流入孔３、２３から流入してくる気体の量を更に増加させることができて、気泡の発生が促進される。
【００６３】  したがって、平均直径が１００μｍ未満のバブル、特に、平均直径が２０μｍ前後の従来と同等以下の径のマイクロバブルを発生させることができる。
【００６４】  また、テーパ状に形成された流入孔７、２７によって、高速ループ流れが加速されると共に、第２液体供給孔５ｂ、２５ｂによって激しい乱流が起こされるため、気液ループ流式撹拌混合室６、２６内の気体を更に細分化することができる。
【００６５】  また、テーパ状に形成された第２噴出孔８ｂ、２８ｂによって、第１噴出孔８ａ、２８ａから気液ループ流式撹拌混合室６、２６内に流入してくる外部気体及び／又は外部液体の量が調節されていると共に、第１噴出孔８ａ、２８ａの外部側周辺の流れ（第１噴出孔８ａ、２８ａからの混合流体の噴出、並びに、外部気体又は／及び外部液体の流入）が安定されている。
【００６６】  また、気液ループ流式撹拌混合室６、２６の内壁に凹凸形状が形成されているので、高速ループ流れをしている液体と気体との混合流体が凹凸形状に衝突することによって、気液ループ流式撹拌混合室６、２６内の気体を更に細分化することができると共に、高速ループ流れを加速させ、気液ループ流式撹拌混合室６、２６内の真空度を高くすることができる。
【００６７】  また、上述のようなループ流式バブル発生ノズル１０又はループ流式バブル発生ノズル２０を備えた液体供給装置は、上記ファインバブルによってループ流式バブル発生ノズルの下流にある配管などを常時洗浄することになるので、汚れが配管内壁に付着することを抑制できる。したがって、上記変形例のループ流式バブル発生ノズルを備えた液体供給装置によれば、ループ流式バブル発生ノズルの下流にある配管などを洗浄する頻度を従来よりも少なくすることができる。引いては、長期間メンテナンスすることなく連続運転することが可能となる自浄機能を有した液体供給装置を提供できる。
【００６８】［第２の実施の形態］  本発明の第２の実施の形態に係る液体供給装置（図示せず）を以下に説明する。図５は、第２の実施の形態に係る液体供給装置に用いたループ流式バブル発生ノズル３０を示す概略断面図である。なお、ループ流式バブル発生ノズル３０を用いた点以外は、第１の実施の形態と同様であるので、説明を省略する場合がある。
【００６９】（ループ流式バブル発生ノズル３０の構成）  図５（ａ）に示すように、ループ流式バブル発生ノズル３０は、断面円形の有底管状の第１の部材としての有底部材３１と、有底部材３１の他端側に嵌め込まれた第２の部材としての筒状部材３２とを有している。そして、有底部材３１及び筒状部材３２で囲まれた略円柱型の空間が、気液ループ流式撹拌混合室３６とされている。なお、気液ループ流式撹拌混合室５６内には、気液ループ流式撹拌混合室５６内の混合流体をさらに撹拌混合する撹拌混合部５５ｃが設けられている。
【００７０】  筒状部材３２は、その中央に、液体及び気体を流入可能な流入孔３７と、液体及び気体を噴出可能な第１噴出孔３８ａと第２噴出孔３８ｂとを有している。流入孔３７は、第１噴出孔３８ａから気液ループ流式撹拌混合室３６の方向に向かって連続的に拡径されたテーパ状に形成されている。また、流入孔３７の気液ループ流式撹拌混合室３６側の端面には、複数の切欠き部３７ａが設けられ、このうち適数箇所に切欠き部３７ｂが、切欠き部３７ａから気体供給室３４に向かって延設されている。この流入孔３７は、気液ループ流式撹拌混合室３６内における高速ループ流れを加速させる役割を果たしている。また、流入孔３７の複数の切欠き部３７ａ及び３７ｂは、高速ループ流れにおける気体を撹拌、剪断し、更に細分化する役割を果たしている。また、気体供給室３４と気液ループ流式撹拌混合室３６との境界である気液境界部において発生するキャビテーションによるスプラッシュ現象により、隙間３４ａ内に入り込んだ飛沫液体が乾燥、濃縮、又は凝集し、隙間３４ａ内の筒状部材３２の外表面又は／及び有底部材３１の内表面にカルシウムなどのスケール又は／及びスラッジが析出しリング状に固着しても、複数の切欠き部３７ａ及び３７ｂの部分は空間のまま存在する（切欠き部３７ａ及び３７ｂの空間部分にカルシウムなどが析出し固着することはない）ので、隙間３４ａが閉塞されてしまうことがない。その結果として、本実施形態に係るループ流式バブル発生ノズル３０においては、不純物を含む液体を用いてもバブル発生効率が低下しない。これにより、気体流入孔３３から流入した気体は、気液ループ流式撹拌混合室３６に安定して供給されるので、気液ループ流式撹拌混合室３６内の高速ループ流れを安定させることができる。
【００７１】  撹拌混合部３５ｃは、第２液体供給孔３５ｂの途中において、中心軸を略同一としたリング状に設けられた凹形状の溝である。この撹拌混合部３５ｃにおいて、気液ループ流式撹拌混合室３６内で発生するループ流に比べてミニサイズのループ流を生じさせることで、さらに気液ループ流式撹拌混合室３６内の混合流体を撹拌混合し、気泡を効率よく発生させる。
【００７２】  その他の構成及び動作は、第１の実施の形態のループ流式バブル発生ノズル１０と同じであるため、その説明を省略する。
【００７３】  上述のようなループ流式バブル発生ノズル３０を備えた液体供給装置は、上記ファインバブルによってループ流式バブル発生ノズルの下流にある配管などを常時洗浄することになるので、汚れが配管内壁に付着することを抑制できる。したがって、上記変形例のループ流式バブル発生ノズルを備えた液体供給装置によれば、ループ流式バブル発生ノズルの下流にある配管などを洗浄する頻度を従来よりも少なくすることができる。引いては、長期間メンテナンスすることなく連続運転することが可能となる自浄機能を有した液体供給装置を提供できる。
【００７４】（他の変形例）  以上、本発明の実施の形態を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００７５】  例えば、各実施の形態及び各変形例において、ループ流式バブル発生ノズルは、表面が樹脂で被覆された部材からなるもの、若しくは、樹脂だけで成形されたものであってもよい。これにより、汚泥水又は海水などの劣悪な環境中においても、部材表面が樹脂で被覆されている、若しくは、ループ流式バブル発生ノズル自体が樹脂で成形されているので、腐食を防止できる。その結果として、使用寿命が長く、安価なループ流式バブル発生ノズルを提供することができる。
【００７６】  また、各実施の形態及び各変形例において、ループ流式バブル発生ノズルは、気体流入孔を有する構成にされているが、液体供給孔から供給される液体に気体が溶け込んでいる場合には、気体流入孔を有しない構成であってもよい。この場合、液体に溶け込んだ気体は、気液ループ流式撹拌混合室内で気泡化される。
【００７７】  また、各実施の形態のループ流式バブル発生ノズルにおいて、気体流入孔を有する有底部材が、気液ループ流式撹拌混合室の周面に、気液ループ流式撹拌混合室の周面の接線と平行な方向に開口されて外部と連通する外部連通孔を更に有していてもよい。これによれば、外部連通孔から外部液体及び／又は外部気体が気液ループ流式撹拌混合室内に流入してくるので、ループ流の他に、気液ループ流式撹拌混合室における周面に沿って流れる旋回流を発生させることができて、液体供給孔から供給される液体の供給方向に対して、ループ流の流れ方向を傾斜させることができる。その結果として、ループ流の一周当りの距離を長くすることができることから、ループ流により発生する乱流によって気体の剪断の機会が多くなるので、より気液ループ流式撹拌混合室内の気体を細分化することができる。
【００７８】  また、各実施の形態及び各変形例において、気体流入孔は、噴出孔寄りに形成されていてもよい。また、気体流入孔からの気体の流入は、なくてもよい場合がある。すなわち、気体流入孔に弁などを設け、気体の流入を０にしても（気体流入を停止しても）よい。このときでも、ノズル内部ではキャビテーションが起こり、自浄に必要な程度のファインバブルは発生する。
【００７９】  また、上記実施形態又は変形例における液体供給装置においては、液体を冷却して供給する場合を示したが、これに限られず、冷却室の代わりに、液体温度制御用配管に伝熱可能なヒータなどの加熱部（液体温度制御）を有した加熱室を用いて、液体を加熱するものであってもよい。なお、該加熱部の代わりに、熱湯などの加熱された液体を加熱室内に投入して、液体温度制御用配管を加熱してもよい。
【００８０】  また、上記実施形態又は変形例における液体供給装置におけるループ流式バブル発生ノズルは、液体送流用配管の途中のどこに設けてもよい。また、上記実施形態又は変形例における液体供給装置におけるループ流式バブル発生ノズルは、液体送流用配管の上流側端部に設けてもよいし、液体送流用配管の下流側端部と液体温度制御用配管の上流側端部との接続部に設けてもよい。
【００８１】  また、上記実施形態又は変形例における液体供給装置における噴出部には、注ぎ出される液体に含まれる泡の量を調整できる泡調整部が設けられていてもよい。
【００８２】  また、上記実施形態又は変形例の液体供給装置における加圧部として、ガスボンベを使用したが、この代わりに、コンプレッサーなどの加圧器（圧縮機）を用いてもよい。
【００８３】  また、上記実施形態又は変形例における液体供給装置においては、液体送流用配管を２系統に分けて、一方の系統の途中にループ流式バブル発生ノズルを配設して冷却室内の液体温度制御用配管に接続させ、他方の系統にはループ流式バブル発生ノズルを配設しないようにして、冷却室内の液体温度制御用配管に接続させ、各系統に切り替えることができるようにしてもよい。これにより、洗浄をしつつ液体供給装置を使用したい場合には、途中にループ流式バブル発生ノズルを配設してある系統を使用し、元々の生ビールを供給したい場合には、ループ流式バブル発生ノズルを配設していない系統を使用するということができる。特に、ループ流式バブル発生ノズルを配設していない系統を使用する場合には泡立ちが少ないので、冷却室内の冷却部が始動したばかりなどで、熱交換がまだ十分でないときに冷却しやすいという効果がある。
【実施例】
【００８４】  上記第１の実施の形態に係る液体供給装置の構成を含む実験用の液体供給装置（図６参照）を組み上げ、該装置におけるループ流式バブル発生ノズルの下流に配置されている配管（液体送流用配管、冷却室内の液体温度制御用配管）の内部及び噴出部（レバー、注ぎ口）の内部に、付着、堆積などする有機物質（酵母菌、酒石等）による汚れ（コンタミネーション）を自浄する機能について検証する実験を行った。【００８５】＜実験方法＞（実施例１）  まず、図６に示した液体供給装置において、下記表１の実施例１に示したループ流式バブル発生ノズルを用いて、中ジョッキ５杯／日の生ビール（生ビール２０Ｌを２週間で消費することになる量）を３日間吐出させる。その後、図６の液体供給装置の飲料容器（生ビールタンク）を外して、液体送流用配管内にスポンジ片を挿入し、水道水の入った洗浄用タンクに付け替え、該洗浄用タンクから水道水を液体送流用配管内に流しこみ、スポンジ片を配管の下流に押し出す。このとき、噴出部を冷却室から外しておき、スポンジ片が吐出されるまで押し出す。スポンジ片が吐出された後に、水道水でさらに液体送流用配管を洗い流す。このようにして得られた配管内の汚れを含んだ水道水を、デジタルマイクロスコープ（ライカＤＭＳ１０００：ライカマイクロシステムズ株式会社製）によって観察した。【００８６】（実施例２、３）  図６に示した液体供給装置において、下記表１の実施例２、３に示したループ流式バブル発生ノズルのそれぞれを用いること以外、実施例１と同様の方法で実験した。【００８７】（比較例）  図６に示した液体供給装置において、ループ流式バブル発生ノズルを用いずに、実施例１と同様の実験を行った。なお、実施例１〜３においてループ流式バブル発生ノズルを液体供給装置に取り付けた場合において、該ノズルの通過前の圧力値を測定する圧力計と、該ノズルの通過後の圧力値を測定する圧力計とを液体供給装置に取り付けているが、ループ流式バブル発生ノズルを取り付けていない比較例の液体供給装置においても、実施例１〜３の場合と同様の位置に圧力計を取り付け、配管内の圧力を測定できるようにしている。【００８８】
【表１】
2016178421.tif 000003
【００８９】＜実験結果＞（比較例の実験結果）  図７に、比較例の観察で得られた配管内の汚れを含んだ水道水の拡大写真を示す。図７の写真からわかるように、汚れ（コンタミネーション）がやや多く見られる。したがって、表１の欄の「汚れの量」の評価は「やや多い〜やや少ない」とした。なお、図７中の数値と「μｍ」の単位が記載されている四角で囲まれた部分の直上にある白点のように見えるものが汚れ（コンタミネーション）であるが、この汚れの大きさをデジタルマイクロスコープで計測し、図中に記載している。下記実施例も同様である。【００９０】  また、本比較例の液体供給装置の通常使用５回において、泡量は吐出される液体（ビール）の量に対してほとんどない状態で（図８参照）、後に泡を作って吐出する必要があった。したがって、表１の欄の「ジョッキに注いだビールの状態」の評価は「泡量が液量に対し非常に少ない」とした。【００９１】（実施例１の実験結果）  図９に、実施例１の観察で得られた配管内の汚れを含んだ水道水の拡大写真を示す。図９の写真からわかるように、ほとんど汚れ（コンタミネーション）が見られない。具体的には、図９中の「６２．２３４μｍ」と表記した部分の直上においてのみ小さな汚れ（コンタミネーション）が発見できただけであり、比較例の図７の写真と大きな違いがあることがわかる。なお、他の丸い球体のようなものはファインバブルであり、汚れではない。したがって、表１の欄の「汚れの量」の評価は「ほとんどなし」とした。【００９２】  また、本実施例の液体供給装置の通常使用４回において、泡量は吐出される液体（ビール）の量に対してちょうどよかった（店舗にて提供する場合とほぼ同様であった）ので（図１０参照）、液体（ビール）吐出後に泡量を調整する必要がなかった。したがって、表１の欄の「ジョッキに注いだビールの状態」の評価は「泡量が液量に対しちょうどよい」とした。【００９３】（実施例２の実験結果）  図１１に、実施例２の観察で得られた配管内の汚れを含んだ水道水の拡大写真を示す。図１１の写真からわかるように、実施例１よりは多少の汚れ（コンタミネーション）が見られるが、比較例ほどは見られない。したがって、表１の欄の「汚れの量」の評価は「やや少ない〜少ない」とした。【００９４】  液体供給装置の通常使用５回においては、吐出される液体の量に対して泡量がやや多いことがあったが、それほど気になるような泡量ではなく、ほぼちょうどよいと思われるものであった（図１２参照）。したがって、表１の欄の「ジョッキに注いだビールの状態」の評価は「泡量が液量に対しやや多い〜泡量が液量に対しちょうどよい」とした。【００９５】（実施例３の実験結果）  図１３に、実施例３の観察で得られた配管内の汚れを含んだ水道水の拡大写真を示す。図１３の写真からわかるように、比較例とほぼ同様の汚れが見られた。したがって、表１の欄の「汚れの量」の評価は「やや多い〜やや少ない」とした。【００９６】  液体供給装置の通常使用においては、吐出される液体の量に対して泡量がやや多いことがあったが、それほど気になるような泡量ではなく、ほぼちょうどよいと思われるものであった（図１４参照）。したがって、表１の欄の「ジョッキに注いだビ���ルの状態」の評価は「泡量が液量に対しやや多い〜泡量が液量に対しちょうどよい」とした。【００９７】  なお、本実施例においては、比較例とほぼ同様の汚れが見られたが、ループ流式バブル発生ノズルの下流の圧力値は、比較例の場合と比べ低くなる、すなわち、流速が小さくなっていても、比較例の場合と同様の汚れしか出ていないことがわかる。したがって、実施例３においても自浄機能が発揮されていることがわかる。【００９８】  上記実施例１〜３により、本発明に係る液体供給装置において、ループ流式バブル発生ノズルの下流に配置されている配管（液体送流用配管、冷却室内の液体温度制御用配管）の内部及び噴出部（レバー、注ぎ口）の内部に、付着、堆積などする有機物質（酵母菌、酒石等）による汚れ（コンタミネーション）を自浄する機能があることが実証された。
【符号の説明】
【００９９】１、２１、３１    有底部材２、２２、３２    筒状部材３、２３、３３    気体流入孔４、２４、３４    気体供給室４ａ、２４ａ、３４ａ    隙間４ｂ、２４ｂ、３４ｂ    溝部５ａ、２５ａ、２５ａ    第１液体供給孔５ｂ、２５ｂ、２５ｂ    第２液体供給孔６、２６、３６    気液ループ流式撹拌混合室７、２７、３７    流入孔８ａ、２８ａ、３８ａ    第１噴出孔８ｂ、２８ｂ、３８ｂ    第２噴出孔１０、２０、３０    ループ流式バブル発生ノズル１１    ホース１２    シャワーヘッド１３    気体用供給管１３ａ    逆止弁１４    絞り弁２４ｃ    気体溜まり部３５ｃ    撹拌混合部６０    ガスボンベ６１    加圧用配管６２    飲料容器６３    液体送流用配管６４    冷却室６５    冷却部６６    液体温度制御用配管６７    噴出部１００    液体供給装置 
【図１】
2016178421.tif 000004
【図２】
2016178421.tif 000005
【図３】
2016178421.tif 000006
【図４】
2016178421.tif 000007
【図５】
2016178421.tif 000008
【図６】
2016178421.tif 000009
【図７】
2016178421.tif 000010
【図８】
2016178421.tif 000011
【図９】
2016178421.tif 000012
【図１０】
2016178421.tif 000013
【図１１】
2016178421.tif 000014
【図１２】
2016178421.tif 000015
【図１３】
2016178421.tif 000016
【図１４】
2016178421.tif 000017
【国際調査報告】
2016178421.tif 000018
2016178421.tif 000019
2016178421.tif 000020